(57)【要約】      （修正有）【課題】ミリ波帯域用伝送線路一体型低損失柔軟曲面型及び直角型多重ポートアンテナを提供する。【解決手段】伝送線路一体型低損失柔軟曲面型多重ポートアンテナは、多重ポートアンテナ部１６０と、複数の伝送線路と、を含む。伝送線路其々は、単一アンテナ１６１０〜４０其々に相応し、中心導体が単一アンテナの給電部１６１６〜４６と一体に形成され、曲面状の伝送線路部１６５を含む。単一アンテナは、接地板と、誘電体基板１６１２〜４２と、誘電体基板上に形成され、モバイル通信端末機の電気信号を放射するか、電磁波信号を受信して変換する信号変換部１６１４〜４４と、信号変換部と連結される給電部とを含む。伝送線路は、一端が単一アンテナの給電部と一体に形成され、送受信される電気信号を伝達する中心導体と、中心導体を取り囲んでいる外部導体と、間に形成され樹脂を高電圧で電界紡糸して形成したナノ構造のシート物質である誘電体と、を含む。【選択図】図１６
2020127196.tif 000002
【特許請求の範囲】
【請求項１】
単一アンテナが複数個含まれて多重ポートを形成する多重ポートアンテナ部と、
複数の伝送線路と
を含み、
前記伝送線路のそれぞれは、前記単一アンテナのそれぞれに相応し、各伝送線路の信号線として使われる中心導体が相応する単一アンテナの給電部と一体に形成され、曲面状を有する伝送線路部を含み、
前記単一アンテナは、
接地板と、
前記接地板上に一定厚さの誘電体からなる誘電体基板と、
前記誘電体基板上に形成され、モバイル通信端末機の電気信号を電磁波信号に変換して空中に放射するか、空中の電磁波信号を受信してモバイル通信端末機の電気信号に変換する信号変換部と、
前記誘電体基板上に形成され、前記信号変換部と連結される給電部と
を含み、
前記伝送線路は、
一端が前記単一アンテナの給電部と一体に形成され、前記電気信号を伝達する中心導体と、
前記中心導体と同じ軸を有し、前記中心導体の軸方向に前記中心導体を取り囲んでいる外部導体と、
前記軸方向に前記中心導体と前記外部導体との間に形成されている誘電体と
を含み、
前記誘電体は、樹脂を高電圧で電界紡糸して多量の空気層を含むナノシート状に形成された低損失ナノシート物質であることを特徴とするミリ波帯域用伝送線路一体型低損失柔軟曲面型多重ポートアンテナ。
【請求項２】
前記多重ポートアンテナ部は、単一アンテナが複数個含まれ、複数個の単一アンテナのビームパターン（ｒａｄｉａｔｉｏｎ  ｐａｔｔｅｒｎ）が円形偏波を含む請求項１に記載のミリ波帯域用伝送線路一体型低損失柔軟曲面型多重ポートアンテナ。
【請求項３】
前記単一アンテナ及び各伝送線路は、低損失ボンディングシートまたはボンディング溶液を使用して導体と誘電体シートとの接着力を強化するか、またはナノシート上に導体を蒸着して形成されることを含む請求項１に記載のミリ波帯域用伝送線路一体型低損失柔軟曲面型多重ポートアンテナ。
【請求項４】
前記伝送線路のそれぞれは、所定の厚さを有するナノシート誘電体と、前記ナノシート誘電体の上面と下面とに形成される導体面と、前記ナノシート誘電体と前記導体面との中央に信号線として形成されるストリップライン伝送線路を含み、
前記ナノシート誘電体の上部に形成される導体面と前記ナノシート誘電体の下部に形成される導体面との間には、多数のビアホールが形成されることを特徴とする請求項１に記載のミリ波帯域用伝送線路一体型低損失柔軟曲面型多重ポートアンテナ。
【請求項５】
前記単一アンテナは、パッチアンテナ、マイクロストリップパッチアンテナまたは対角線ラインタイプパッチアンテナの構造であり、
前記信号変換部は、パッチであり、
前記パッチアンテナまたはマイクロストリップアンテナは、金属からなり、底面に位置する接地板をさらに備え、
前記誘電体基板は、前記接地板上に一定厚さの誘電体からなり、伝送線路一体形態の構造を有することを特徴とする請求項１に記載のミリ波帯域用伝送線路一体型低損失柔軟曲面型多重ポートアンテナ。
【請求項６】
前記単一アンテナは、ダイポールアンテナ、モノポールアンテナまたは多様なスロットを通じて具現されるスロットアンテナであることを特徴とする請求項１に記載のミリ波帯域用伝送線路一体型低損失柔軟曲面型多重ポートアンテナ。
【請求項７】
前記単一アンテナは、モバイル通信端末機に内蔵される内蔵型アンテナであって、ＰＩＦＡであることを特徴とする請求項１に記載のミリ波帯域用伝送線路一体型低損失柔軟曲面型多重ポートアンテナ。
【請求項８】
請求項１に記載のミリ波帯域用伝送線路一体型低損失柔軟曲面型多重ポートアンテナを備えるモバイル通信端末機。
【請求項９】
１つのポートを形成する単一アンテナが複数個含まれて多重ポートを形成し、曲面状を有する多重ポートアンテナ部と、
複数の伝送線路と
を含み、
前記伝送線路のそれぞれは、前記単一アンテナのそれぞれに相応し、各伝送線路の信号線として使われる中心導体が相応する単一アンテナの給電部と一体に形成される伝送線路部を含み、
前記単一アンテナは、
接地板と、
前記接地板上に一定厚さの誘電体からなる誘電体基板と、
前記誘電体基板上に形成され、モバイル通信端末機の電気信号を電磁波信号に変換して空中に放射するか、空中の電磁波信号を受信してモバイル通信端末機の電気信号に変換する信号変換部と、
前記誘電体基板上に形成され、前記信号変換部と連結される給電部と
を含み、
前記伝送線路は、
一端が前記単一アンテナの給電部と一体に形成され、前記電気信号を伝達する中心導体と、
前記中心導体と同じ軸を有し、前記中心導体の軸方向に前記中心導体を取り囲んでいる外部導体と、
前記軸方向に前記中心導体と前記外部導体との間に形成されている誘電体と
を含み、
前記誘電体は、樹脂を高電圧で電界紡糸して多量の空気層を含むナノシート状に形成された低損失ナノシートの物質であることを特徴とするミリ波帯域用伝送線路一体型低損失柔軟曲面型多重ポートアンテナ。
【請求項１０】
前記多重ポートアンテナ部は、単一アンテナが複数個含まれ、複数個の単一アンテナのビームパターン（ｒａｄｉａｔｉｏｎ  ｐａｔｔｅｒｎ）が円形偏波を含む請求項９に記載のミリ波帯域用伝送線路一体型低損失柔軟曲面型多重ポートアンテナ。
【請求項１１】
前記単一アンテナ及び各伝送線路は、低損失ボンディングシートまたはボンディング溶液を使用して導体と誘電体シートとの接着力を強化するか、またはナノシート上に導体を蒸着して形成されることを含む請求項９に記載のミリ波帯域用伝送線路一体型低損失柔軟曲面型多重ポートアンテナ。
【請求項１２】
前記伝送線路のそれぞれは、
所定の厚さを有するナノシート誘電体と、
前記ナノシート誘電体の上面と下面とに形成される導体面と、
前記ナノシート誘電体と前記導体面との中央に信号線として形成されるストリップライン伝送線路と
を含み、
前記ナノシート誘電体の上部に形成される導体面と前記ナノシート誘電体の下部に形成される導体面との間には、多数のビアホールが形成されることを特徴とする請求項９に記載のミリ波帯域用伝送線路一体型低損失柔軟曲面型多重ポートアンテナ。
【請求項１３】
前記単一アンテナは、パッチアンテナ、マイクロストリップパッチアンテナまたは対角線ラインタイプパッチアンテナの構造であり、
前記信号変換部は、パッチであり、
前記パッチアンテナまたはマイクロストリップアンテナは、金属からなり、底面に位置する接地板をさらに備え、
前記誘電体基板は、前記接地板上に一定厚さの誘電体からなり、伝送線路一体形態の構造を有することを特徴とする請求項９に記載のミリ波帯域用伝送線路一体型低損失柔軟曲面型多重ポートアンテナ。
【請求項１４】
前記単一アンテナは、ダイポールアンテナ、モノポールアンテナまたは多様なスロットを通じて具現されるスロットアンテナであることを特徴とする請求項９に記載のミリ波帯域用伝送線路一体型低損失柔軟曲面型多重ポートアンテナ。
【請求項１５】
前記単一アンテナは、モバイル通信端末機に内蔵される内蔵型アンテナであって、ＰＩＦＡであることを特徴とする請求項９に記載のミリ波帯域用伝送線路一体型低損失柔軟曲面型多重ポートアンテナ。
【請求項１６】
請求項９に記載のミリ波帯域用伝送線路一体型低損失柔軟曲面型多重ポートアンテナを備えるモバイル通信端末機。
【請求項１７】
第１多重ポートアンテナと、
前記第１多重ポートアンテナと垂直を成す第２多重ポートアンテナと
を含み、
前記第１多重ポートアンテナは、
単一アンテナが複数個含まれ、複数個の単一アンテナが水平方向に配されて多重ポートを形成する第１多重ポートアンテナ部と、
複数の伝送線路と
を含み、
前記伝送線路のそれぞれは、前記単一アンテナのそれぞれに相応し、各伝送線路の信号線として使われる中心導体が相応する単一アンテナの給電部と一体に形成される第１伝送線路部を含み、
前記第２多重ポートアンテナは、
単一アンテナが複数個含まれ、前記第１多重ポートアンテナ部と垂直方向に配されて多重ポートを形成する第２多重ポートアンテナ部と、
複数の伝送線路と
を含み、
前記伝送線路のそれぞれは、前記第２多重ポートアンテナ部の単一アンテナのそれぞれに相応し、各伝送線路の信号線として使われる中心導体が相応する第２多重ポートアンテナ部の単一アンテナの給電部と一体に形成される第２伝送線路部と、
を含み、
前記第１多重ポートアンテナ部及び第２多重ポートアンテナ部の単一アンテナは、
接地板と、
前記接地板上に一定厚さの誘電体からなる誘電体基板と、
前記誘電体基板上に形成され、モバイル通信端末機の電気信号を電磁波信号に変換して空中に放射するか、空中の電磁波信号を受信してモバイル通信端末機の電気信号に変換する信号変換部と、
前記誘電体基板上に形成され、前記信号変換部と連結される給電部と
を含み、
前記伝送線路は、
一端が前記単一アンテナの給電部と一体に形成され、前記電気信号を伝達する中心導体と、
前記中心導体と同じ軸を有し、前記中心導体の軸方向に前記中心導体を取り囲んでいる外部導体と、
前記軸方向に前記中心導体と前記外部導体との間に形成されている誘電体と
を含み、
前記誘電体は、樹脂を高電圧で電界紡糸して多量の空気層を含むナノシート状に形成された低損失ナノシート物質であることを特徴とするミリ波帯域用伝送線路一体型低損失柔軟直角型多重ポートアンテナ。
【請求項１８】
前記第１多重ポートアンテナは、単一アンテナが複数個含まれ、前記複数個の単一アンテナが水平方向に配されてビームパターン（ｒａｄｉａｔｉｏｎ  ｐａｔｔｅｒｎ）が垂直偏波あるいは水平偏波を含み、
前記第２多重ポートアンテナは、単一アンテナが複数個含まれ、前記複数個の単一アンテナが垂直方向に配されてビームパターン（ｒａｄｉａｔｉｏｎ  ｐａｔｔｅｒｎ）が垂直偏波あるいは水平偏波を含む請求項１７に記載のミリ波帯域用伝送線路一体型低損失柔軟直角型多重ポートアンテナ。
【請求項１９】
前記単一アンテナ及び各伝送線路は、低損失ボンディングシートまたはボンディング溶液を使用して導体と誘電体シートとの接着力を強化するか、またはナノシート上に導体を蒸着して形成されることを含む請求項１７に記載のミリ波帯域用伝送線路一体型低損失柔軟直角型多重ポートアンテナ。
【請求項２０】
前記伝送線路のそれぞれは、
所定の厚さを有するナノシート誘電体と、
前記ナノシート誘電体の上面と下面とに形成される導体面と、
前記ナノシート誘電体と前記導体面との中央に信号線として形成されるストリップライン伝送線路と
を含み、
前記ナノシート誘電体の上部に形成される導体面と前記ナノシート誘電体の下部に形成される導体面との間には、多数のビアホールが形成されることを特徴とする請求項１７に記載のミリ波帯域用伝送線路一体型低損失柔軟直角型多重ポートアンテナ。
【請求項２１】
前記単一アンテナは、
パッチアンテナ、マイクロストリップパッチアンテナまたは対角線ラインタイプパッチアンテナの構造であり、前記信号変換部は、パッチであり、
前記パッチアンテナまたはマイクロストリップアンテナは、
金属からなり、底面に位置する接地板をさらに備え、
前記誘電体基板は、前記接地板上に一定厚さの誘電体からなり、
伝送線路一体形態の構造を有することを特徴とする請求項１７に記載のミリ波帯域用伝送線路一体型低損失柔軟直角型多重ポートアンテナ。
【請求項２２】
前記単一アンテナは、ダイポールアンテナ、モノポールアンテナまたは多様なスロットを通じて具現されるスロットアンテナであることを特徴とする請求項１７に記載のミリ波帯域用伝送線路一体型低損失柔軟直角型多重ポートアンテナ。
【請求項２３】
前記単一アンテナは、
モバイル通信端末機に内蔵される内蔵型アンテナであって、ＰＩＦＡであることを特徴とする請求項１７に記載のミリ波帯域用伝送線路一体型低損失柔軟直角型多重ポートアンテナ。
【請求項２４】
請求項１７に記載のミリ波帯域用伝送線路一体型低損失柔軟直角型多重ポートアンテナを備えるモバイル通信端末機。
【発明の詳細な説明】
【技術分野】
【０００１】
本発明は、ミリ波帯域用アンテナに係り、特に、従来の損失が多いＰＩ（Ｐｏｌｙｉｍｉｄｅ）系やＬＣＰ（Ｌｉｑｕｉｄ  Ｃｒｙｓｔａｌ  Ｐｏｌｙｍｅｒ）系ではない低損失ナノシートを利用し、伝送線路とアンテナとが一体に形成されてモバイル機器に適用可能なミリ波帯域用伝送線路一体型低損失柔軟曲面型及び直角型多重ポートアンテナに関する。
【背景技術】
【０００２】
次世代５Ｇ移動通信システムは、数十ギガの高周波帯域を通じて通信を行い、スマートフォンの内部にも数十ギガの高周波帯域アンテナを必要とする。特に、スマートフォンなど携帯用機器に使われるモバイル内蔵型アンテナの場合、スマートフォンの内部の環境に影響を多く受ける。この際、周辺環境の影響を最小化する位置にアンテナを位置させなければならない必要がある。また、超高周波信号を少ない損失で伝送または処理するためには、低損失及び高性能の伝送線路が必要である。
【０００３】
一般的に、アンテナと伝送線路とに使われる誘電体は、誘電率損失が低いほど送信する電力損失を減らしうる。したがって、超高周波信号の伝送のための低損失及び高性能の伝送線路とアンテナとを製造するためには、可能であれば、比誘電率が低く、誘電体損失（ｌｏｓｓ  ｔａｎｇｅｎｔ）も低い物質を使用することが必要である。特に、５世代移動通信（５Ｇ  Ｎｅｔｗｏｒｋ）で使われる３．５ＧＨｚ及び２８ＧＨｚ帯域の周波数を有する信号を効率的に伝送するためには、２８ＧＨｚのミリ波帯域でも損失が小さい伝送線路及びアンテナの重要性はさらに大きくなっている。
【発明の概要】
【発明が解決しようとする課題】
【０００４】
本発明が解決しようとする課題は、数十ギガの高周波帯域で前述した必要性を満たすために、比誘電率が低く、誘電体損失値が小さい材料を使用し、多様な屈曲性を有する柔軟性素材で低損失及び高性能の伝送線路とアンテナとを一体化したミリ波帯域用伝送線路一体型低損失柔軟曲面型多重ポートアンテナを提供するところにある。
【０００５】
本発明が解決しようとする他の課題は、数十ギガの高周波帯域で前述した必要性を満たすために、比誘電率が低く、誘電体損失値が小さい材料を使用し、多様な屈曲性を有する柔軟性素材で低損失及び高性能の伝送線路とアンテナとを一体化したミリ波帯域用伝送線路一体型低損失柔軟直角型多重ポートアンテナを提供するところにある。
【０００６】
本発明が解決しようとするさらに他の課題は、前記ミリ波帯域用伝送線路一体型低損失柔軟曲面型多重ポートアンテナを備えるモバイル通信端末機を提供するところにある。
【０００７】
本発明が解決しようとするさらに他の課題は、前記ミリ波帯域用伝送線路一体型低損失柔軟直角型多重ポートアンテナを備えるモバイル通信端末機を提供するところにある。
【課題を解決するための手段】
【０００８】
前記技術的課題を果たすための本発明によるミリ波帯域用伝送線路一体型低損失柔軟曲面型多重ポートアンテナは、単一アンテナが複数個含まれて多重ポートを形成する多重ポートアンテナ部と、複数の伝送線路とを含み、前記伝送線路のそれぞれは、前記単一アンテナのそれぞれに相応し、各伝送線路の信号線として使われる中心導体が相応する単一アンテナの給電部と一体に形成され、曲面（ｃｕｒｖｅｄ）状を有する伝送線路部を含み、前記単一アンテナは、接地板と、前記接地板上に一定厚さの誘電体からなる誘電体基板と、前記誘電体基板上に形成され、モバイル通信端末機の電気信号を電磁波信号に変換して空中に放射するか、空中の電磁波信号を受信してモバイル通信端末機の電気信号に変換する信号変換部と、前記誘電体基板上に形成され、前記信号変換部と連結される給電部とを含み、前記伝送線路は、一端が前記単一アンテナの給電部と一体に形成され、前記電気信号を伝達する中心導体と、前記中心導体と同じ軸を有し、前記中心導体の軸方向に前記中心導体を取り囲んで（ｓｈｉｅｌｄｉｎｇ）いる外部導体と、前記軸方向に前記中心導体と前記外部導体との間に形成されている誘電体とを含み、前記誘電体は、樹脂を高電圧で電界紡糸して多量の空気層を含むナノシート状に形成された低損失ナノシート物質であることを特徴とする。
【０００９】
前記多重ポートアンテナ部は、単一アンテナが複数個含まれ、複数個の単一アンテナのビームパターン（ｂｅａｍ  ｐａｔｔｅｒｎ、ｒａｄｉａｔｉｏｎ  ｐａｔｔｅｒｎ）が円形偏波（ｃｉｒｃｕｌａｒ  ｐｏｌａｒｉｚａｔｉｏｎ）を含みうる。
【００１０】
前記単一アンテナ及び各伝送線路は、低損失ボンディングシートまたはボンディング溶液を使用して導体と誘電体シートとの接着力を強化するか、またはナノシート上に導体を蒸着して形成されるものを含みうる。
【００１１】
前記伝送線路のそれぞれは、所定の厚さを有するナノシート誘電体と、前記ナノシート誘電体の上面と下面とに形成される導体面と、前記ナノシート誘電体と前記導体面との中央に信号線として形成されるストリップライン（Ｓｔｒｉｐｌｉｎｅ）伝送線路とを含み、前記ナノシート誘電体の上部に形成される導体面と前記ナノシート誘電体の下部に形成される導体面との間には、多数のビアホール（ｖｉａ  ｈｏｌｅ）が形成されうる。
【００１２】
前記単一アンテナは、パッチアンテナ、マイクロストリップパッチアンテナまたは対角線ラインタイプパッチアンテナの構造であり、前記信号変換部は、パッチであり、前記パッチアンテナまたはマイクロストリップアンテナは、金属からなり、底面に位置する接地板をさらに備え、前記誘電体基板は、前記接地板上に一定厚さの誘電体からなり、伝送線路一体形態の構造を有しうる。
【００１３】
前記単一アンテナは、ダイポールアンテナ、モノポールアンテナまたは多様なスロットを通じて具現されるスロットアンテナ（Ｓｌｏｔ  ａｎｔｅｎｎａ）であり得る。
【００１４】
前記単一アンテナは、モバイル通信端末機に内蔵される内蔵型アンテナであって、ＰＩＦＡ（Ｐｌａｎａｒ  Ｉｎｖｅｒｔｅｄ  Ｆ  Ａｎｔｅｎｎａ）であり得る。
【００１５】
前記他の技術的課題を解決するための本発明によるモバイル通信端末機は、前述したミリ波帯域用伝送線路一体型低損失柔軟曲面型多重ポートアンテナを備える。
【００１６】
前記技術的課題を果たすための本発明によるミリ波帯域用伝送線路一体型低損失柔軟曲面型多重ポートアンテナは、１つのポートを形成する単一アンテナが複数個含まれて多重ポートを形成し、曲面状を有する多重ポートアンテナ部と、複数の伝送線路とを含み、前記伝送線路のそれぞれは、前記単一アンテナのそれぞれに相応し、各伝送線路の信号線として使われる中心導体が相応する単一アンテナの給電部と一体に形成される伝送線路部とを含み、前記単一アンテナは、接地板と、前記接地板上に一定厚さの誘電体からなる誘電体基板と、前記誘電体基板上に形成され、モバイル通信端末機の電気信号を電磁波信号に変換して空中に放射するか、空中の電磁波信号を受信してモバイル通信端末機の電気信号に変換する信号変換部と、前記誘電体基板上に形成され、前記信号変換部と連結される給電部とを含み、前記伝送線路は、一端が前記単一アンテナの給電部と一体に形成され、前記電気信号を伝達する中心導体と、前記中心導体と同じ軸を有し、前記中心導体の軸方向に前記中心導体を取り囲んでいる外部導体と、前記軸方向に前記中心導体と前記外部導体との間に形成されている誘電体とを含み、前記誘電体は、樹脂を高電圧で電界紡糸して多量の空気層を含むナノシート状に形成された低損失ナノシートの物質であることを特徴とする。
【００１７】
前記多重ポートアンテナ部は、単一アンテナが複数個含まれ、複数個の単一アンテナのビームパターン（ｒａｄｉａｔｉｏｎ  ｐａｔｔｅｒｎ）が円形偏波を含みうる。
【００１８】
前記単一アンテナ及び各伝送線路は、低損失ボンディングシートまたはボンディング溶液を使用して導体と誘電体シートとの接着力を強化するか、またはナノシート上に導体を蒸着して形成されるものを含みうる。
【００１９】
前記伝送線路のそれぞれは、所定の厚さを有するナノシート誘電体と、前記ナノシート誘電体の上面と下面とに形成される導体面と、前記ナノシート誘電体と前記導体面との中央に信号線として形成されるストリップライン伝送線路とを含み、前記ナノシート誘電体の上部に形成される導体面と前記ナノシート誘電体の下部に形成される導体面との間には、多数のビアホールが形成されうる。
【００２０】
前記単一アンテナは、パッチアンテナ、マイクロストリップパッチアンテナまたは対角線ラインタイプパッチアンテナの構造であり、前記信号変換部は、パッチであり、前記パッチアンテナまたはマイクロストリップアンテナは、金属からなり、底面に位置する接地板をさらに備え、前記誘電体基板は、前記接地板上に一定厚さの誘電体からなり、伝送線路一体形態の構造を有しうる。
【００２１】
前記単一アンテナは、ダイポールアンテナ、モノポールアンテナまたは多様なスロットを通じて具現されるスロットアンテナ（Ｓｌｏｔ  ａｎｔｅｎｎａ）であり得る。
【００２２】
前記単一アンテナは、モバイル通信端末機に内蔵される内蔵型アンテナであって、ＰＩＦＡ（Ｐｌａｎａｒ  Ｉｎｖｅｒｔｅｄ  Ｆ  Ａｎｔｅｎｎａ）であり得る。
【００２３】
前記他の技術的課題を解決するための本発明によるモバイル通信端末機は、前述したミリ波帯域用伝送線路一体型低損失柔軟曲面型多重ポートアンテナを備える。
【００２４】
前記技術的課題を果たすための本発明によるミリ波帯域用伝送線路一体型低損失柔軟直角型多重ポートアンテナは、第１多重ポートアンテナと、前記第１多重ポートアンテナと垂直を成す第２多重ポートアンテナとを含み、前記第１多重ポートアンテナは、単一アンテナが複数個含まれ、複数個の単一アンテナが水平方向に配されて多重ポートを形成する第１多重ポートアンテナ部と、複数の伝送線路とを含み、前記伝送線路のそれぞれは、前記単一アンテナのそれぞれに相応し、各伝送線路の信号線として使われる中心導体が相応する単一アンテナの給電部と一体に形成される第１伝送線路部；を含み、前記第２多重ポートアンテナは、単一アンテナが複数個含まれ、前記第１多重ポートアンテナ部と垂直方向に配されて多重ポートを形成する第２多重ポートアンテナ部と、複数の伝送線路とを含み、前記伝送線路のそれぞれは、前記第２多重ポートアンテナ部の単一アンテナのそれぞれに相応し、各伝送線路の信号線として使われる中心導体が相応する第２多重ポートアンテナ部の単一アンテナの給電部と一体に形成される第２伝送線路部とを含み、前記第１多重ポートアンテナ部及び第２多重ポートアンテナ部の単一アンテナは、接地板と、前記接地板上に一定厚さの誘電体からなる誘電体基板と、前記誘電体基板上に形成され、モバイル通信端末機の電気信号を電磁波信号に変換して空中に放射するか、空中の電磁波信号を受信してモバイル通信端末機の電気信号に変換する信号変換部と、前記誘電体基板上に形成され、前記信号変換部と連結される給電部とを含み、前記伝送線路は、一端が前記単一アンテナの給電部と一体に形成され、前記電気信号を伝達する中心導体と、前記中心導体と同じ軸を有し、前記中心導体の軸方向に前記中心導体を取り囲んでいる外部導体と、前記軸方向に前記中心導体と前記外部導体との間に形成されている誘電体とを含み、前記誘電体は、樹脂を高電圧で電界紡糸して多量の空気層を含むナノシート状に形成された低損失ナノシート物質であることを特徴とする。
【００２５】
前記第１多重ポートアンテナは、単一アンテナが複数個含まれ、前記複数個の単一アンテナが水平方向に配されてビームパターン（ｒａｄｉａｔｉｏｎ  ｐａｔｔｅｒｎ）が垂直偏波（ｖｅｒｔｉｃａｌ  ｐｏｌａｒｉｚａｔｉｏｎ）あるいは水平偏波（ｈｏｒｉｚｏｎｔａｌ  ｐｏｌａｒｉｚａｔｉｏｎ）を含み、前記第２多重ポートアンテナは、単一アンテナが複数個含まれ、前記複数個の単一アンテナが垂直方向に配されてビームパターン（ｒａｄｉａｔｉｏｎ  ｐａｔｔｅｒｎ）が垂直偏波あるいは水平偏波を含みうる。    
【００２６】
前記単一アンテナ及び各伝送線路は、低損失ボンディングシートまたはボンディング溶液を使用して導体と誘電体シートとの接着力を強化するか、またはナノシート上に導体を蒸着して形成されるものを含みうる。
【００２７】
前記伝送線路のそれぞれは、所定の厚さを有するナノシート誘電体と、前記ナノシート誘電体の上面と下面とに形成される導体面と、前記ナノシート誘電体と前記導体面との中央に信号線として形成されるストリップライン伝送線路とを含み、前記ナノシート誘電体の上部に形成される導体面と前記ナノシート誘電体の下部に形成される導体面との間には、多数のビアホールが形成されうる。
【００２８】
前記単一アンテナは、パッチアンテナ、マイクロストリップパッチアンテナまたは対角線ラインタイプパッチアンテナの構造であり、前記信号変換部は、パッチであり、前記パッチアンテナまたはマイクロストリップアンテナは、金属からなり、底面に位置する接地板をさらに備え、前記誘電体基板は、前記接地板上に一定厚さの誘電体からなり、伝送線路一体形態の構造を有しうる。
【００２９】
前記単一アンテナは、ダイポールアンテナ、モノポールアンテナまたは多様なスロットを通じて具現されるスロットアンテナであり得る。
【００３０】
前記単一アンテナは、モバイル通信端末機に内蔵される内蔵型アンテナであって、ＰＩＦＡであり得る。
【００３１】
前記他の技術的課題を解決するための本発明によるモバイル通信端末機は、前述したミリ波帯域用伝送線路一体型低損失柔軟直角型多重ポートアンテナを備える。
【発明の効果】
【００３２】
本発明によるミリ波帯域用伝送線路一体型低損失柔軟曲面型または直角型多重ポートアンテナによれば、次世代５Ｇ移動通信システムのスマートフォンに使われる数十ギガの高周波帯域アンテナとして使われる。
【００３３】
特に、本発明によるミリ波帯域用伝送線路一体型低損失柔軟曲面型または直角型多重ポートアンテナは、伝送線路とアンテナとに使われる誘電体のために、比誘電率（ｒｅｌａｔｉｖｅ  ｐｅｒｍｅａｂｉｌｉｔｙ）が低く、誘電体損失値が小さい誘電物質を使用することにより、超高周波信号を少ない損失で伝送または伝播することができる。
そして、本発明によるミリ波帯域用伝送線路一体型低損失柔軟曲面型または直角型多重ポートアンテナは、伝送線路とアンテナとを一体化することにより、伝送線路とアンテナとの連結部によって発生する損失を無くすことにより、超高周波帯域の信号の損失を減らしうる。
【００３４】
また、屈曲性を有する柔軟な素材としてモバイル内蔵型アンテナを具現することにより、スマートフォンなど携帯用機器の内部で周辺環境の影響を最小化する位置にアンテナを位置させ、携帯通信装置に部品をより効率的に配置させるという長所がある。
【図面の簡単な説明】
【００３５】
【図１Ａ】本発明によるミリ波帯域用伝送線路一体型低損失柔軟曲面型または直角型多重ポートアンテナに使われる１つのアンテナの一実施形態であって、伝送線路一体型パッチアンテナの斜視図を示した図面である。
【図１Ｂ】量産時に適用可能なＳＩＷ（Ｓｕｂｓｔｒａｔｅ  Ｉｎｔｅｇｒａｔｅｄ  Ｗａｖｅｇｕｉｄｅ）構造を活用した伝送線路一体型アンテナの斜視図を示した図面である。
【図１Ｃ】図１ＢのＳＩＷ構造を拡大して表示した伝送線路一体型アンテナを示した図面である。
【図２】本発明の一実施形態において、単位アンテナとして使われるミリ波帯域用伝送線路一体型低損失柔軟アンテナの平面図を示した図面である。
【図３】本発明の一実施形態において、単位アンテナとして使われるミリ波帯域用伝送線路一体型低損失柔軟アンテナの正面図を示した図面である。
【図４】本発明のミリ波帯域用伝送線路一体型低損失柔軟曲面型または直角型多重ポートアンテナの一実施形態に使われるパッチアンテナの斜視図を示した図面である。
【図５】本発明のミリ波帯域用伝送線路一体型低損失柔軟アンテナの一実施形態によるパッチアンテナの平面図を示した図面である。
【図６】本発明による伝送線路一体型多重ポートアンテナに使われる伝送線路一体型低損失柔軟アンテナの一実施形態であって、パッチアンテナの正面図を示した図面である。
【図７】本発明による伝送線路一体型多重ポートアンテナに使われるミリ波帯域用伝送線路一体型低損失柔軟アンテナの一実施形態の構成要素である伝送線路（ｆｌａｔ  ｃａｂｌｅ）の斜視図を示した図面である。
【図８】本発明による伝送線路一体型多重ポートアンテナに使われるミリ波帯域用伝送線路一体型低損失柔軟アンテナの一実施形態の構成要素である伝送線路の正面図を示した図面である。
【図９】電界紡糸を通じてナノフロンを製造する装置の一例を示した図面である。
【図１０】本発明による多重ポートアンテナに使われるミリ波帯域用伝送線路一体型低損失柔軟アンテナの一実施形態であって、伝送線路一体型パッチアンテナのビームパターン（ｒａｄｉａｔｉｏｎ  ｐａｔｔｅｒｎ）を示した図面である。
【図１１】本発明による伝送線路一体型多重ポートアンテナに使われるミリ波帯域用伝送線路一体型低損失柔軟アンテナの一実施形態であって、伝送線路一体型パッチアンテナの周波数による入力反射係数（Ｓ１１）の特性を示した図面である。
【図１２】本発明による伝送線路一体型多重ポートアンテナに使われるミリ波帯域用伝送線路一体型低損失柔軟アンテナの一実施形態であって、伝送線路一体型パッチアンテナの利得（ｇａｉｎ）の特性を示した図面である。
【図１３】本発明の伝送線路一体型多重ポートアンテナに使われるミリ波帯域用伝送線路一体型低損失柔軟アンテナの一実施形態であって、伝送線路一体型ダイポールアンテナの平面図を示した図面である。
【図１４】本発明に使われるミリ波帯域用伝送線路一体型低損失柔軟アンテナの一実施形態であって、伝送線路一体型ダイポールアンテナの軸方向の断面図を示した図面である。
【図１５】本発明の実施形態に使われるミリ波帯域用伝送線路一体型低損失柔軟単一ポートアンテナが装着された携帯通信装置の一例を示した図面である。
【図１６】本発明によるミリ波帯域用伝送線路一体型低損失柔軟曲面型多重ポートアンテナの一実施形態を示した図面である。
【図１７】本発明によるミリ波帯域用伝送線路一体型低損失柔軟曲面型多重ポートアンテナの一実施形態についての平面図を示した図面である。
【図１８】本発明によるミリ波帯域用伝送線路一体型低損失柔軟曲面型多重ポートアンテナの一実施形態についての側面図を示した図面である。
【図１９】本発明によるミリ波帯域用伝送線路一体型低損失柔軟曲面型多重ポートアンテナの一例に対する周波数による入力反射係数（Ｓ１１）の特性を示した図面である。
【図２０】本発明によるミリ波帯域用伝送線路一体型低損失柔軟曲面型多重ポートアンテナの一例に対する利得の特性を示した図面である。
【図２１】本発明の実施形態によるミリ波帯域用伝送線路一体型低損失柔軟曲面型多重ポートアンテナが装着された携帯通信装置を示した図面である。
【図２２】本発明の実施形態によるミリ波帯域用伝送線路一体型低損失柔軟曲面型多重ポートアンテナが装着された携帯通信装置についての側面図を示した図面である。
【図２３】本発明によるミリ波帯域用伝送線路一体型低損失柔軟曲面型多重ポートアンテナが装着された携帯通信装置の一例に対する周波数による入力反射係数（Ｓ１１、Ｓ２２、Ｓ３３、Ｓ４４）の特性を示した図面である。
【図２４】本発明によるミリ波帯域用伝送線路一体型低損失柔軟曲面型多重ポートアンテナが装着された携帯通信装置の一例に対する利得の特性を示した図面である。
【図２５】本発明の他の実施形態によるミリ波帯域用伝送線路一体型低損失柔軟曲面型多重ポートアンテナが装着された携帯通信装置の一例を示した図面である。
【図２６】本発明によるミリ波帯域用伝送線路一体型低損失柔軟直角型多重ポートアンテナの一実施形態を示した図面である。
【図２７】本発明による伝送線路一体型多重ポートアンテナに使われるミリ波帯域用伝送線路一体型低損失柔軟直角型（ｏｒｔｈｏｇｏｎａｌ）多重ポートアンテナの一実施形態であって、携帯通信端末機２７４０に直角状に設けられた第１多重ポートアンテナ２７１０と第２多重ポートアンテナ２７２０とで第１多重ポートアンテナ２７１０に対する伝送線路一体型パッチアンテナのビームパターン（ｒａｄｉａｔｉｏｎ  ｐａｔｔｅｒｎ）２７３０を示した図面である。
【図２８】本発明によるミリ波帯域用伝送線路一体型低損失柔軟直角型多重ポートアンテナの第１多重ポートアンテナ２７１０に対する周波数による入力反射係数（Ｓ１１、Ｓ２２、Ｓ３３、Ｓ４４）の特性を示した図面である。
【図２９】本発明によるミリ波帯域用伝送線路一体型低損失柔軟直角型多重ポートアンテナの第１多重ポートアンテナ２７１０に対する利得の特性を示した図面である。
【図３０】本発明による伝送線路一体型多重ポートアンテナに使われるミリ波帯域用伝送線路一体型低損失柔軟直角型多重ポートアンテナの一実施形態であって、携帯通信端末機２７４０に直角状に設けられた第１多重ポートアンテナ２７１０と第２多重ポートアンテナ２７２０とで第２多重ポートアンテナ２７２０に対する伝送線路一体型パッチアンテナのビームパターン（ｒａｄｉａｔｉｏｎ  ｐａｔｔｅｒｎ）３０３０を示した図面である。
【図３１】本発明によるミリ波帯域用伝送線路一体型低損失柔軟直角型多重ポートアンテナの第２多重ポートアンテナ２７２０に対する周波数による入力反射係数（Ｓ１１、Ｓ２２、Ｓ３３、Ｓ４４）の特性を示した図面である。
【図３２】本発明によるミリ波帯域用伝送線路一体型低損失柔軟直角型多重ポートアンテナの第２多重ポートアンテナ２７２０に対する利得の特性を示した図面である。
【図３３】本発明による伝送線路一体型多重ポートアンテナに使われるミリ波帯域用伝送線路一体型低損失柔軟直角型多重ポートアンテナの一実施形態であって、携帯通信端末機２７４０に直角状に設けられた第１多重ポートアンテナ２７１０と第２多重ポートアンテナ２７２０とに対する伝送線路一体型パッチアンテナのビームパターン（ｒａｄｉａｔｉｏｎ  ｐａｔｔｅｒｎ）３３１０、３３２０を示した図面である。
【図３４】本発明によるミリ波帯域用伝送線路一体型低損失柔軟直角型多重ポートアンテナを成す第１多重ポートアンテナ２７１０及び第２多重ポートアンテナ２７２０に対する周波数による入力反射係数（Ｓ１１、Ｓ２２、Ｓ３３、Ｓ４４、Ｓ５５、Ｓ６６、Ｓ７７、Ｓ８８）の特性を示した図面である。
【図３５】本発明によるミリ波帯域用伝送線路一体型低損失柔軟直角型多重ポートアンテナに対する利得の特性を示した図面である。
【図３６】本発明の実施形態によるミリ波帯域用伝送線路一体型低損失柔軟直角型多重ポートアンテナが装着された携帯通信装置を示した図面である。
【発明を実施するための形態】
【００３６】
以下、添付図面を参照して、本発明の望ましい実施形態を詳しく説明する。本明細書に記載された実施形態と図面とに示された構成は、本発明の望ましい一実施形態に過ぎず、本発明の技術的思想をいずれも代弁するものではないので、本出願時点において、これらを代替しうる多様な均等物と変形例とがあるということを理解しなければならない。
【００３７】
本発明によるミリ波帯域用伝送線路一体型低損失柔軟曲面型多重ポート（ｍｕｌｔｉ  ｐｏｒｔ）アンテナは、ミリ波帯域用伝送線路一体型低損失柔軟単一ポート（ｓｉｎｇｌｅ  ｐｏｒｔ）アンテナが多様な構造、例えば、垂直（ｖｅｒｔｉｃａｌ）構造及び水平（ｈｏｒｉｚｏｎｔａｌ）構造で配されてなされる。
【００３８】
まず、本発明によるミリ波帯域用伝送線路一体型低損失柔軟曲面型多重ポートアンテナの構成要素（ｅｌｅｍｅｎｔ）として使われる伝送線路一体型低損失柔軟単一ポートアンテナについて説明し、本発明によるミリ波帯域用伝送線路一体型低損失柔軟曲面型多重ポートアンテナを説明する。
【００３９】
図１Ａは、本発明の一実施形態に使われるミリ波帯域用伝送線路一体型低損失柔軟単一ポートアンテナの一実施形態であって、伝送線路一体型パッチアンテナを示したものである。図１Ｂは、量産時に適用可能なＳＩＷ構造を活用した伝送線路一体型アンテナを示したものである。図１Ｃは、図１ＢのＳＩＷ構造を拡大して表示した伝送線路一体型アンテナを示したものである。
【００４０】
図２は、本発明の一実施形態に使われる伝送線路一体型単一ポートパッチアンテナの平面図を示したものである。図３は、本発明の一実施形態に使われる伝送線路一体型単一ポートパッチアンテナの正面図を示したものである。
【００４１】
図１ないし図３を参照すれば、本発明による実施形態に使われる伝送線路一体型単一ポートパッチアンテナは、アンテナ１１０、２１０、３１０及び前記アンテナと一体に形成される伝送線路（ｔｒａｎｓｍｉｓｓｉｏｎ  ｌｉｎｅ）１２０、２２０、３２０を含んでなる。
【００４２】
図４は、本発明の構成要素であるミリ波帯域用伝送線路一体型低損失柔軟アンテナの一例であって、パッチアンテナを示したものである。図５は、本発明の構成要素であるミリ波帯域用伝送線路一体型低損失柔軟単一ポートアンテナの一例であって、パッチアンテナの平面図を示したものである。図６は、前記パッチアンテナの正面図を示したものである。
【００４３】
図１ないし図６を参照すれば、パッチアンテナ１１０、２１０、３１０は、接地板４１０、６１０、誘電体基板４２０、５２０、６２０、信号変換部４３０、５３０、６３０及び給電部４４０、５４０、６４０を含んでなる。
接地板４１０、６１０は、パッチアンテナ１１０、２１０の底面に位置し、接地（ｇｒｏｕｎｄ）の役割を行い、金属からなる。誘電体基板４２０、５２０、６２０は、接地板４１０、６１０上に一定厚さの誘電体からなる。
【００４４】
信号変換部４３０、５３０、６３０は、誘電体基板４２０、５２０、６２０上に形成され、モバイル通信端末機の電気信号を電磁波信号に変換して空中に放射するか、空中の電磁波信号を受信してモバイル通信端末機の電気信号に変換する。給電部４４０、５４０、６４０は、誘電体基板４２０、５２０、６２０上に形成され、信号変換部４３０、５３０、６３０と連結される。
【００４５】
図７は、本発明の構成要素であるミリ波帯域用伝送線路一体型低損失柔軟アンテナの一実施形態を構成するフラットケーブル（ｆｌａｔ  ｃａｂｌｅ）形態の伝送線路を示したものである。図８は、本発明のミリ波帯域用伝送線路一体型低損失柔軟アンテナの一実施形態を構成する伝送線路（ｆｌａｔ  ｃａｂｌｅ）の正面図を示したものである。
【００４６】
図１ないし図８を参照すれば、伝送線路１２０、２２０、３２０は、中心導体７１０、８１０、外部導体７２０、８２０及び誘電体７３０、８３０を含んでなる。
【００４７】
中心導体７１０、８１０は、一端がアンテナ１１０、２１０、３１０の給電部４４０、５４０、６４０と連結されており、信号線として前記送受信される電気信号を伝達する。外部導体７２０、８２０は、中心導体７１０、８１０と同じ軸を有し、中心導体の軸方向（ａ−ｂ）に中心導体７１０、８１０を取り囲んでいる。誘電体７３０、８３０は、前記軸方向に前記中心導体と前記外部導体との間に形成されている。
【００４８】
アンテナ１１０、２１０、３１０に使われる誘電体基板４２０、５２０、６２０と伝送線路１２０、２２０、３２０に使われる誘電体７３０、８３０は、多様な形態（固体、液体、気体）の樹脂を高電圧で電界紡糸して形成されたナノ構造の物質であって、シート（ｓｈｅｅｔ）状を有しうる。
【００４９】
本発明の構成要素であるミリ波帯域用伝送線路一体型低損失柔軟アンテナでアンテナと伝送線路とを構成する誘電体の物質としてナノ構造物質が使われる。前記誘電体物質は、多様な形態（固体、液体、気体）のうち適した樹脂を選択して一定の高電圧で電界紡糸（Ｅｌｅｃｔｒｏｓｐｉｎｎｉｎｇ）して形成された物質であって、本明細書において、ナノフロン（Ｎａｎｏｆｌｏｎ）と称する。
【００５０】
図９は、電界紡糸を通じてナノフロンを製造する装置の一例を示したものであって、注射器９１０に高分子のポリマー溶液９２０を注入して、注射器９１０と紡糸する基板との間に高電圧９３０を加え、ポリマー溶液を一定の速度で流せば、表面張力によって電気が毛細管端部にぶら下げられている液体に加えられれば、ナノサイズの細い糸９４０が作られ、時間が経てば、不織布形態のナノ構造の物質であるナノ纎維９５０が積もる。このようにナノ纎維が積もって形成された物質がナノフロンである。電界紡糸に使われる高分子物質の例を挙げれば、ＰＣ（ｐｏｌｙｃａｂｏｎａｔｅ）、ＰＵ（ｐｏｌｙｕｒｅｔｈａｎｅ）、ＰＶＤＦ（ｐｏｌｙｖｉｎｙｌｉｄｉｎｅ  Ｄｉｆｌｏｕｒｉｄｅ）、Ｎｙｌｏｎ（ｐｏｌｙａｍｉｄｅ）、ＰＡＮ（ｐｏｌｙａｃｒｌｏｎｉｔｒｉｌｅ）などがある。
【００５１】
ナノフロンは、誘電率が低く、空気が多くて、伝送線路の誘電体とアンテナの誘電体基板として使われる。本発明で使われるナノフロンの比誘電率（εｒ）は、ほぼ１．５６であり、誘電体損失値Ｔａｎδは、ほぼ０．００００８である。これは、比誘電率が４．３であり、誘電体損失値が０．００４であるポリイミド（ｐｏｌｙｉｍｉｄｅ）のものに比較すれば、非常に低い比誘電率値と誘電体損失値である。そして、本発明による伝送線路一体型アンテナは、低損失でありながらも、柔軟性がある素材を使用することにより、フレキシブル（ｆｌｅｘｉｂｌｅ）して、スマートフォンの狭い空間にも、設置において柔軟性を提供することができる。
【００５２】
一方、図１ないし図８で使われる誘電体は、多様な形態の樹脂を高電圧で電界紡糸して形成されたナノ構造のナノシート誘電体であることが望ましい。すなわち、従来のＰＩ、ＬＣＰ系のように誘電体の内部に空気層なしに誘電体材料のみで構成された材料ではないＰＣ、ＰＵ、ＰＶＤＦ、ＰＥＳ（ｐｏｌｙｅｈｔｅｒｓｕｌｆｏｎｅ）、Ｎｙｌｏｎ（ｐｏｌｙａｍｉｄｅ）、ＰＡＮなどの誘電体樹脂を高電圧で電界紡糸して誘電体間に多量の空気層を含むナノシート状に形成された低損失ナノシート物質である。
【００５３】
図１ないし図８に例示されたミリ波帯域用伝送線路一体型低損失柔軟アンテナの構成に含まれる導体は、エッチング、プリンティング、蒸着などの多様な方法で形成されうる。図１ないし図８に例示されたミリ波帯域用伝送線路一体型低損失柔軟アンテナの構成に含まれる導体とナノシート誘電体は、単一積層構造だけではなく、複数の層を繰り返す構造を有する多層構造であって、多重信号を同時に送受信することができる構造を含む。また、各導体とナノシート誘電体との信頼性を高める接着構造のために、薄膜層の低い比誘電率及び誘電体損失を有する構造のボンディングシートまたはボンディング溶液で導体とナノシート誘電体とが連結される。
【００５４】
そして、本発明の構成要素として使われる伝送線路一体型低損失柔軟単一ポートアンテナは、マイクロストリップパッチ信号放射体、多様な形態のパッチタイプのアンテナ放射体の構造または対角線ラインタイプパッチアンテナの構造を含む。前記アンテナ放射体パッチは、最上端面に位置し、一定厚さのナノシート誘電体が前記アンテナ放射体パッチの底面に形成され、最下端面には、金属からなる接地板が形成されうる。特に、各導体とナノシート誘電体との効率的な結合のために、低損失誘電体ボンディングシートまたはボンディング溶液を使用して接着力を強化し、ナノシート誘電体上に導体を蒸着して形成されたものを活用することができる。
【００５５】
また、前記伝送線路一体型低損失柔軟単一ポートアンテナでアンテナと一体に形成される伝送線路は、互いに同じナノシート誘電体を誘電体として使用することができる。図１Ｃを参照すれば、伝送線路１２０は、所定の厚さを有するナノシート誘電体１２６とナノシート誘電体１２６の上面と下面とに形成される導体１２８、１２９及びナノシート誘電体１２６と導体１２８、１２９との中央に信号線として形成されるストリップライン信号線１２４を含んでなり、ナノシート誘電体１２６の上部に形成される導体面１２８とナノシート誘電体１２６の下部に形成される導体面１２９との間には、多数のビアホール１２２が形成されうる。すなわち、本発明による伝送線路一体型低損失柔軟アンテナは、信号線１２４と平行方向に伝送線路１２０の長手方向のエッジに沿って多数のビアホール１２２が形成されたストリップライン構造を含みうる。前記ストリップラインの信号線１２４は、アンテナの放射体パッチ導体１１２と直接連結される。
【００５６】
前記多数のビアホール１２２は、信号線の漏れとノイズとの送受信を遮断するためのものであって、ＳＩＷ構造でミリ波帯域までの広帯域に対して優れたノイズ遮蔽特性を提供する。
【００５７】
図１０は、本発明による伝送線路一体型多重ポートアンテナに使われるミリ波帯域用伝送線路一体型低損失柔軟単一ポートアンテナの一実施形態であって、伝送線路一体型パッチアンテナのビームパターン（ｒａｄｉａｔｉｏｎ  ｐａｔｔｅｒｎ）を示したものである。ビームパターンは、輻射（ｒａｄｉａｔｉｏｎ）される電磁波の電界強度（ｅｌｅｃｔｒｉｃ  ｆｉｅｌｄ  ｓｔｒｅｎｇｔｈ）であって、図１０を参照すれば、指向性を示している。
【００５８】
図１１は、本発明による伝送線路一体型多重ポートアンテナに使われるミリ波帯域用伝送線路一体型低損失柔軟アンテナの一実施形態であって、伝送線路一体型パッチアンテナの周波数による入力反射係数（Ｓ１１）の特性を示したものである。図１１を参照すれば、本発明の一実施形態による伝送線路一体型パッチアンテナは、５Ｇ通信周波数である２８ＧＨｚの周波数でＳ１１値が低くなり、アンテナに入力された信号電力が反射して戻らず、最大限アンテナを通じて外部に輻射され、輻射効率が高く、マッチングも良好であることが分かる。
【００５９】
図１２は、本発明による伝送線路一体型多重ポートアンテナに使われるミリ波帯域用伝送線路一体型低損失柔軟アンテナの一実施形態であって、伝送線路一体型パッチアンテナの利得の特性を示したものである。図１２を参照すれば、垂直偏波の利得の特性として、０°（ラジアン）で約６．６ｄＢｉであって、非常に高いアンテナの利得の特性を有することを確認することができる。
【００６０】
一方、本発明の実施形態に使われるミリ波帯域用伝送線路一体型低損失柔軟単一ポートアンテナは、パッチアンテナまたはマイクロストリップパッチアンテナだけではなく、誘電体を使用するアンテナと伝送線路とを含む。例えば、本発明の構成要素として使われるアンテナは、ダイポールアンテナまたはモノポールアンテナの形態で構成することができる。そして、前記アンテナは、モバイル通信端末機に内蔵される内蔵型アンテナであって、ＰＩＦＡにも適用可能である。
【００６１】
図１３は、本発明の実施形態に使われるミリ波帯域用伝送線路一体型低損失柔軟単一ポートアンテナの他の実施形態であって、伝送線路一体型ダイポールアンテナの平面図を示したものである。図１４は、本発明による実施形態に使われるミリ波帯域用伝送線路一体型低損失柔軟単一ポートアンテナの他の実施形態であって、伝送線路一体型ダイポールアンテナの軸方向（図１３のｃ−ｄ）の断面図を示したものである。
【００６２】
図１３及び図１４を参照すれば、伝送線路一体型ダイポールアンテナは、伝送線路であるフラットケーブル１３１０と前記フラットケーブル１３１０と一体に形成されたダイポールアンテナ１３２０とを含んでなる。そして、ダイポールアンテナ１３２０は、ダイポール形態の信号変換部１４１０と誘電体１４２０とを含んでなり、伝送線路１３１０は、信号を伝達する中心導体１４４０、外部導体１４３０及び中心導体と外部導体との間に誘電率が低く、損失が小さい誘電物質からなる誘電体１４５０を含む。
【００６３】
本発明の実施形態に使われる伝送線路一体型ダイポールアンテナは、一端部１５が伝送線路１３１０であるフラットケーブルの信号線と連結され、他の一端部１６は、アンテナの接地（ｇｒｏｕｎｄ）線と連結される。
【００６４】
そして、図１５は、本発明の実施形態に使われるミリ波帯域用伝送線路一体型低損失柔軟単一ポートアンテナが装着された携帯通信装置の一例を示したものである。図１５を参照すれば、携帯通信端末機は、携帯通信端末機の回路モジュールと連結されて、電気信号を送受信し、アンテナを通じて外部に電波を放射する本発明によるミリ波帯域用伝送線路一体型低損失柔軟単一ポートアンテナ（ＴＬＩＡ）を備える。
【００６５】
一方、前述した伝送線路一体型低損失柔軟単一ポートアンテナを構成要素としてなされる本発明によるミリ波帯域用伝送線路一体型低損失柔軟曲面型多重ポートアンテナを説明する。
【００６６】
図１６は、本発明によるミリ波帯域用伝送線路一体型低損失柔軟曲面型多重ポートアンテナの一実施形態を示したものである。図１７は、本発明によるミリ波帯域用伝送線路一体型低損失柔軟曲面型多重ポートアンテナの一実施形態についての平面図を示したものである。図１８は、本発明によるミリ波帯域用伝送線路一体型低損失柔軟曲面型多重ポートアンテナの一実施形態についての側面図を示したものである。
【００６７】
図１６ないし図１８を参照すれば、本発明の一実施形態によるミリ波帯域用伝送線路一体型低損失柔軟曲面型多重ポートアンテナは、多重ポートアンテナ部１６０及び伝送線路部１６５を含んでなる。
【００６８】
多重ポートアンテナ部１６０は、複数の単一アンテナ１６１０、１６２０、１６３０、１６４０を含み、多重ポート、例えば、４個のポートを形成する。単一アンテナのそれぞれは、１つのポートを形成する。
【００６９】
伝送線路部１６５は、複数の伝送線路１６６０、１６７０、１６８０、１６９０を含み、伝送線路のそれぞれは、単一アンテナ１６１０、１６２０、１６３０、１６４０のそれぞれに相応し、各伝送線路の信号線として使われる中心導体１６６２、１７６２、１８６２、１９６２が相応する単一アンテナの給電部１６１６、１６２６、１６３６、１６４６と一体に形成され、曲面状を有する。
【００７０】
単一アンテナ１６１０、１６２０、１６３０、１６４０のそれぞれは、図１ないし図１８を参照して前述したように、誘電体基板１６１２、１６２２、１６３２、１６４２、４２０、５２０、６２０、信号変換部１６１４、１６２４、１６３４、１６４４、４３０、５３０、６３０、給電部１６１６、１６２６、１６３６、１６４６、４４０、５４０、６４０を含んでなる。
【００７１】
誘電体基板１６１２、１６２２、１６３２、１６４２、４２０、５２０、６２０は、接地板４１０、６１０上に一定厚さの誘電体からなる。信号変換部１６１４、１６２４、１６３４、１６４４、４３０、５３０、６３０は、誘電体基板１６１２、１６２２、１６３２、１６４２、４２０、５２０、６２０上に形成され、モバイル通信端末機の電気信号を電磁波信号に変換して空中に放射するか、空中の電磁波信号を受信してモバイル通信端末機の電気信号に変換する。給電部１６１６、１６２６、１６３６、１６４６、４４０、５４０、６４０は、誘電体基板１６１２、１６２２、１６３２、１６４２、４２０、５２０、６２０上に形成され、信号変換部１６１４、１６２４、１６３４、１６４４、４３０、５３０、６３０と連結される。
【００７２】
そして、複数の伝送線路１６６０、１６７０、１６８０、１６９０のそれぞれは、中心導体１６６２、１７６２、１８６２、１９６２、７１０、８１０、外部導体１６６６、１７６６、１８６６、１９６６、７２０、８２０、誘電体１６６４、１７６４、１８６４、１９６４、７３０、８３０を含んでなる。
【００７３】
中心導体１６６２、１７６２、１８６２、１９６２、７１０、８１０は、一端が単一アンテナの給電部１６１６、１６２６、１６３６、１６４６、４４０、５４０、６４０と一体に形成され、前記送受信される電気信号を伝達する。
【００７４】
外部導体１６６６、１７６６、１８６６、１９６６、７２０、８２０は、中心導体１６６２、１７６２、１８６２、１９６２、７１０、８１０と同じ軸を有し、中心導体１６６２、１７６２、１８６２、１９６２、７１０、８１０の軸方向に前記中心導体を取り囲んでいる。
【００７５】
誘電体１６６４、１７６４、１８６４、１９６４、７３０、８３０は、前記軸方向に中心導体１６６２、１７６２、１８６２、１９６２、７１０、８１０と外部導体１６６６、１７６６、１８６６、１９６６、７２０、８２０との間に形成される。
【００７６】
前記誘電体１６６４、１７６４、１８６４、１９６４、７３０、８３０は、図９を参照して前述したように、樹脂を高電圧で電界紡糸して形成されたナノ構造のシート物質であることが望ましい。前記複数個の単一アンテナ１６１０、１６２０、１６３０、１６４０のビームパターン（ｒａｄｉａｔｉｏｎ  ｐａｔｔｅｒｎ）は、円形偏波を含みうる。
【００７７】
図１９は、本発明によるミリ波帯域用伝送線路一体型低損失柔軟曲面型多重ポートアンテナの一例に対する周波数による入力反射係数（Ｓ１１）の特性を示したものである。図１９を参照すれば、本発明の一実施形態による伝送線路一体型多重ポートパッチアンテナは、５Ｇ通信周波数である２８ＧＨｚでアンテナに入力された信号電力に対するインピーダンスと反射係数に優れていることを確認することができる。
【００７８】
図２０は、本発明によるミリ波帯域用伝送線路一体型低損失柔軟曲面型多重ポートアンテナの一例に対する利得の特性を示したものである。図２０を参照すれば、多重ポートに入力信号が印加された場合、垂直偏波の利得の特性は、０°（ラジアン）で約１２．８６ｄＢｉであって、非常に高いアンテナの利得の特性を有することを確認することができる。
【００７９】
一方、本発明の実施形態によるミリ波帯域用伝送線路一体型低損失柔軟曲面型多重ポートアンテナは、５Ｇ携帯通信装置に装着されて使われる。
【００８０】
図２１は、本発明の実施形態によるミリ波帯域用伝送線路一体型低損失柔軟曲面型多重ポートアンテナが装着された携帯通信装置を示したものである。図２２は、本発明の実施形態によるミリ波帯域用伝送線路一体型低損失柔軟曲面型多重ポートアンテナが装着された携帯通信装置についての側面図を示したものである。
【００８１】
図２１及び図２２を参照すれば、本発明の実施形態によるミリ波帯域用伝送線路一体型低損失柔軟曲面型多重ポートアンテナ２１１０は、伝送線路の曲面状の下面２１１２は携帯通信装置２１００のＰＣＢ基板２１３０の上部に位置し、伝送線路の上面２１１４は携帯通信装置ケース２１２０の内部面に位置する。
【００８２】
図２３は、本発明によるミリ波帯域用伝送線路一体型低損失柔軟曲面型多重ポートアンテナが装着された携帯通信装置の一例に対する周波数による入力反射係数（Ｓ１１、Ｓ２２、Ｓ３３、Ｓ４４）の特性を示したものである。図２３を参照すれば、本発明の一実施形態による伝送線路一体型多重ポートパッチアンテナは、５Ｇ通信周波数である２８ＧＨｚ中心にアンテナに入力された信号電力に対するインピーダンスと反射係数に優れていることを確認することができる。
【００８３】
図２４は、本発明によるミリ波帯域用伝送線路一体型低損失柔軟曲面型多重ポートアンテナが装着された携帯通信装置の一例に対する利得の特性を示したものである。図２４を参照すれば、多重ポート、例えば、４個のポートいずれもＯＮになった場合、利得の特性は、０°（ラジアン）で約１３．５６ｄＢｉであって、非常に高いアンテナの利得の特性を有することを確認することができる。本発明の実施形態では、多重ポートの例として４個のポートを示したが、８個のポート、１６個のポート、３２個のポート、６４個のポートなどを含み、ポートの個数によって、本発明が限定されるものではない。
【００８４】
一方、本発明の他の実施形態によるミリ波帯域用伝送線路一体型低損失柔軟曲面型多重ポートアンテナは、曲面状を有する多重ポートアンテナ部及び伝送線路部を含んでなりうる。
【００８５】
前記多重ポートアンテナ部は、複数の単一アンテナを含み、多重ポート、例えば、４個のポートを形成する。単一アンテナのそれぞれは、曲面状を有し、１つのポートを形成する。
【００８６】
伝送線路部は、複数の伝送線路を含み、前記伝送線路のそれぞれは、前記単一アンテナのそれぞれに相応し、各伝送線路の信号線として使われる中心導体が相応する単一アンテナの給電部と一体に形成される。
【００８７】
前記単一アンテナのそれぞれは、図１ないし図１８を参照して前述したように、誘電体基板４２０、５２０、６２０、信号変換部４３０、５３０、６３０、給電部４４０、５４０、６４０を含んでなる。
【００８８】
誘電体基板４２０、５２０、６２０は、接地板４１０、６１０上に一定厚さの誘電体からなる。信号変換部４３０、５３０、６３０は、誘電体基板４２０、５２０、６２０上に形成され、モバイル通信端末機の電気信号を電磁波信号に変換して空中に放射するか、空中の電磁波信号を受信してモバイル通信端末機の電気信号に変換する。給電部４４０、５４０、６４０は、誘電体基板４２０、５２０、６２０上に形成され、信号変換部４３０、５３０、６３０と連結される。
【００８９】
そして、前記複数の伝送線路のそれぞれは、中心導体７１０、８１０、外部導体７２０、８２０、誘電体７３０、８３０を含んでなる。
【００９０】
中心導体７１０、８１０は、一端が単一アンテナの給電部４４０、５４０、６４０と一体に形成され、前記送受信される電気信号を伝達する。外部導体７２０、８２０は、中心導体７１０、８１０と同じ軸を有し、中心導体７１０、８１０の軸方向に前記中心導体を取り囲んでいる。
【００９１】
誘電体７３０、８３０は、前記軸方向に中心導体７１０、８１０と外部導体７２０、８２０との間に形成される。誘電体７３０、８３０は、図９を参照して前述したように、樹脂を高電圧で電界紡糸して形成されたナノ構造のシート物質であることが望ましい。
図２５は、本発明の他の実施形態によるミリ波帯域用伝送線路一体型低損失柔軟曲面型多重ポートアンテナが装着された携帯通信装置の一例を示したものである。
【００９２】
図２５を参照すれば、本発明の他の実施形態によるミリ波帯域用伝送線路一体型低損失柔軟曲面型多重ポートアンテナが装着された携帯通信装置２５００は、２８ＧＨｚの４ポートアンテナ２５１０と一体に形成された伝送線路２５２０が携帯通信装置のモジュール２５３０に連結される。２８ＧＨｚの４ポートアンテナ２５４０は、携帯通信装置２５００のエッジに曲面状に装着されることを示している。
【００９３】
一方、前述した伝送線路一体型低損失柔軟単一ポートアンテナを構成要素としてなされる本発明によるミリ波帯域用伝送線路一体型低損失柔軟直角型多重ポートアンテナを説明する。
【００９４】
図２６は、本発明によるミリ波帯域用伝送線路一体型低損失柔軟直角型多重ポートアンテナの一実施形態を示したものである。図２６を参照すれば、本発明の一実施形態によるミリ波帯域用伝送線路一体型低損失柔軟直角型多重ポートアンテナは、第１多重ポートアンテナ２６ａ及び第１多重ポートアンテナ２６ａと垂直を成す第２多重ポートアンテナ２６ｂとを含んでなる。
【００９５】
第１多重ポートアンテナ２６ａは、第１多重ポートアンテナ部２６０ａ及び第１伝送線路部２６０ｂを含んでなる。第１多重ポートアンテナ部２６０ａは、水平方向に配されている複数の単一アンテナ１６１０、１６２０、１６３０、１６４０を含み、多重ポート、例えば、４個のポートを形成する。単一アンテナのそれぞれは、１つのポートを形成する。
【００９６】
第１伝送線路部２６０ｂは、複数の伝送線路を含み、伝送線路のそれぞれは、前記単一アンテナ２６１０、２６２０、２６３０、２６４０のそれぞれに相応し、各伝送線路の信号線として使われる中心導体が相応する単一アンテナの給電部２６１６、２６２６、２６３６、２６４６と一体に形成される。
【００９７】
単一アンテナ２６１０、２６２０、２６３０、２６４０のそれぞれは、図１ないし図１８を参照して前述したように、誘電体基板２６１４、２６２４、２６３４、２６４４、４２０、５２０、６２０、信号変換部２６１２、２６２２、２６３２、２６４２、４３０、５３０、６３０、給電部２６１６、２６２６、２６３６、２６４６、４４０、５４０、６４０を含んでなる。
【００９８】
誘電体基板２６１４、２６２４、２６３４、２６４４、４２０、５２０、６２０は、接地板４１０、６１０上に一定厚さの誘電体からなる。信号変換部２６１２、２６２２、２６３２、２６４２、４３０、５３０、６３０は、誘電体基板２６１４、２６２４、２６３４、２６４４、４２０、５２０、６２０上に形成され、モバイル通信端末機の電気信号を電磁波信号に変換して空中に放射するか、空中の電磁波信号を受信してモバイル通信端末機の電気信号に変換する。給電部２６１６、２６２６、２６３６、２６４６、４４０、５４０、６４０は、誘電体基板２６１４、２６２４、２６３４、２６４４、４２０、５２０、６２０上に形成され、信号変換部２６１２、２６２２、２６３２、２６４２、４３０、５３０、６３０と連結される。
【００９９】
そして、複数の伝送線路のそれぞれは、中心導体７１０、８１０、外部導体７２０、８２０、誘電体７３０、８３０を含んでなる。
中心導体７１０、８１０は、一端が単一アンテナの給電部２６１６、２６２６、２６３６、２６４６、４４０、５４０、６４０と一体に形成され、前記送受信される電気信号を伝達する。
【０１００】
外部導体７２０、８２０は、中心導体７１０、８１０と同じ軸を有し、中心導体７１０、８１０の軸方向に前記中心導体を取り囲んでいる。
誘電体７３０、８３０は、前記軸方向に中心導体７１０、８１０と外部導体７２０、８２０との間に形成される。
【０１０１】
前記誘電体７３０、８３０は、図９を参照して前述したように、樹脂を高電圧で電界紡糸して形成されたナノ構造のシート物質であることが望ましい。
一方、第２多重ポートアンテナ２６ｂは、第２多重ポートアンテナ部２６５ａ及び第２伝送線路部２６５ｂを含んでなる。第２多重ポートアンテナ部２６５ａは、複数の単一アンテナ２６５０、２６６０、２６７０、２６８０を含み、第１多重ポートアンテナ部２６０ａと垂直方向に配されて、多重ポート、例えば、４個のポートを形成する。単一アンテナのそれぞれは、１つのポートを形成する。
【０１０２】
第２伝送線路部２６５ｂは、複数の伝送線路を含み、伝送線路のそれぞれは、前記単一アンテナ２６５０、２６６０、２６７０、２６８０のそれぞれに相応し、各伝送線路の信号線として使われる中心導体が相応する単一アンテナの給電部２６５６、２６６６、２６７６、２６８６と一体に形成される。
【０１０３】
単一アンテナ２６５０、２６６０、２６７０、２６８０のそれぞれは、図１ないし図１８を参照して前述したように、誘電体基板２６５４、２６６４、２６７４、２６８４、４２０、５２０、６２０、信号変換部２６５２、２６６２、２６７２、２６８２、４３０、５３０、６３０、給電部２６５６、２６６６、２６７６、２６８６、４４０、５４０、６４０を含んでなる。
【０１０４】
誘電体基板２６５４、２６６４、２６７４、２６８４、４２０、５２０、６２０は、接地板４１０、６１０上に一定厚さの誘電体からなる。信号変換部２６５２、２６６２、２６７２、２６８２、４３０、５３０、６３０は、誘電体基板２６５４、２６６４、２６７４、２６８４、４２０、５２０、６２０上に形成され、モバイル通信端末機の電気信号を電磁波信号に変換して空中に放射するか、空中の電磁波信号を受信してモバイル通信端末機の電気信号に変換する。給電部２６５６、２６６６、２６７６、２６８６、４４０、５４０、６４０は、誘電体基板２６５４、２６６４、２６７４、２６８４、４２０、５２０、６２０上に形成され、信号変換部２６５２、２６６２、２６７２、２６８２、４３０、５３０、６３０と連結される。
【０１０５】
そして、複数の伝送線路のそれぞれは、中心導体７１０、８１０、外部導体７２０、８２０、誘電体７３０、８３０を含んでなる。
【０１０６】
中心導体７１０、８１０は、一端が単一アンテナの給電部２６５６、２６６６、２６７６、２６８６、４４０、５４０、６４０と一体に形成され、前記送受信される電気信号を伝達する。外部導体７２０、８２０は、中心導体７１０、８１０と同じ軸を有し、中心導体７１０、８１０の軸方向に前記中心導体を取り囲んでいる。誘電体７３０、８３０は、前記軸方向に中心導体７１０、８１０と外部導体７２０、８２０との間に形成される。誘電体７３０、８３０は、図９を参照して前述したように、樹脂を高電圧で電界紡糸して形成されたナノ構造のシート物質であることが望ましい。
【０１０７】
本発明によるミリ波帯域用伝送線路一体型低損失柔軟直角型多重ポートアンテナの第１多重ポートアンテナ２６ａは、単一アンテナが複数個含まれ、前記複数個の単一アンテナ２６１０、２６２０、２６３０、２６４０が水平方向に配されてビームパターン（ｒａｄｉａｔｉｏｎ  ｐａｔｔｅｒｎ）が垂直偏波あるいは水平偏波を含み、第２多重ポートアンテナ２６ｂは、単一アンテナが複数個含まれ、前記複数個の単一アンテナ２６５０、２６６０、２６７０、２６８０が垂直方向に配されてビームパターン（ｒａｄｉａｔｉｏｎ  ｐａｔｔｅｒｎ）が垂直偏波あるいは水平偏波を含む。前記複数個の単一アンテナのビームパターン（ｒａｄｉａｔｉｏｎ  ｐａｔｔｅｒｎ）は、円形偏波を含みうる。
【０１０８】
図２７は、本発明による伝送線路一体型多重ポートアンテナに使われるミリ波帯域用伝送線路一体型低損失柔軟直角型多重ポートアンテナの一実施形態であって、携帯通信端末機２７４０に直角状に設けられた第１多重ポートアンテナ２７１０と第２多重ポートアンテナ２７２０とで第１多重ポートアンテナ２７１０に対する伝送線路一体型パッチアンテナのビームパターン（ｒａｄｉａｔｉｏｎ  ｐａｔｔｅｒｎ）２７３０を示したものである。ビームパターン２７３０は、輻射される電磁波の電界強度であって、図２７を参照すれば、指向性を示している。
【０１０９】
図２８は、本発明によるミリ波帯域用伝送線路一体型低損失柔軟直角型多重ポートアンテナの第１多重ポートアンテナ２７１０に対する周波数による入力反射係数（Ｓ１１、Ｓ２２、Ｓ３３、Ｓ４４）の特性を示したものである。図２８を参照すれば、本発明の一実施形態による伝送線路一体型多重ポートパッチアンテナの第１多重ポートアンテナ２７１０は、５Ｇ通信周波数である２８ＧＨｚでアンテナに入力された信号電力に対するインピーダンスと反射係数に優れていることを確認することができる。
【０１１０】
図２９は、本発明によるミリ波帯域用伝送線路一体型低損失柔軟直角型多重ポートアンテナの第１多重ポートアンテナ２７１０に対する利得の特性を示したものである。図２９を参照すれば、第１多重ポートアンテナ２７１０に入力信号が印加された場合、垂直偏波の利得の特性は、０°（ラジアン）で約１２．２９ｄＢｉであって、高いアンテナの利得の特性を有することを確認することができる。
【０１１１】
図３０は、本発明による伝送線路一体型多重ポートアンテナに使われるミリ波帯域用伝送線路一体型低損失柔軟直角型多重ポートアンテナの一実施形態であって、携帯通信端末機２７４０に直角状に設けられた第１多重ポートアンテナ２７１０と第２多重ポートアンテナ２７２０とで第２多重ポートアンテナ２７２０に対する伝送線路一体型パッチアンテナのビームパターン（ｒａｄｉａｔｉｏｎ  ｐａｔｔｅｒｎ）３０３０を示したものである。ビームパターン３０３０は、輻射される電磁波の電界強度であって、図３０を参照すれば、指向性を示している。
【０１１２】
図３１は、本発明によるミリ波帯域用伝送線路一体型低損失柔軟直角型多重ポートアンテナの第２多重ポートアンテナ２７２０に対する周波数による入力反射係数（Ｓ１１、Ｓ２２、Ｓ３３、Ｓ４４）の特性を示したものである。図３１を参照すれば、本発明の一実施形態による伝送線路一体型多重ポートパッチアンテナの第２多重ポートアンテナ２７２０は、５Ｇ通信周波数である２８ＧＨｚでアンテナに入力された信号電力に対するインピーダンスと反射係数に優れていることを確認することができる。
【０１１３】
図３２は、本発明によるミリ波帯域用伝送線路一体型低損失柔軟直角型多重ポートアンテナの第２多重ポートアンテナ２７２０に対する利得の特性を示したものである。図３２を参照すれば、第２多重ポートアンテナ２７２０に入力信号が印加された場合、垂直偏波の利得の特性は、０°（ラジアン）で約１２．７９ｄＢｉであって、高いアンテナの利得の特性を有することを確認することができる。
【０１１４】
図３３は、本発明による伝送線路一体型多重ポートアンテナに使われるミリ波帯域用伝送線路一体型低損失柔軟直角型多重ポートアンテナの一実施形態であって、携帯通信端末機２７４０に直角状に設けられた第１多重ポートアンテナ２７１０と第２多重ポートアンテナ２７２０とに対する伝送線路一体型パッチアンテナのビームパターン（ｒａｄｉａｔｉｏｎ  ｐａｔｔｅｒｎ）３３１０、３３２０を示したものである。
【０１１５】
ビームパターン３３１０、３３２０は、輻射される電磁波の電界強度であって、第１多重ポートアンテナ２７１０に対するビームパターン３３１０と第２多重ポートアンテナ２７２０に対するビームパターン３３２０とが結合されて、それぞれ指向性を示している。
【０１１６】
図３４は、本発明によるミリ波帯域用伝送線路一体型低損失柔軟直角型多重ポートアンテナを成す第１多重ポートアンテナ２７１０及び第２多重ポートアンテナ２７２０に対する周波数による入力反射係数（Ｓ１１、Ｓ２２、Ｓ３３、Ｓ４４、Ｓ５５、Ｓ６６、Ｓ７７、Ｓ８８）の特性を示したものである。図３４を参照すれば、本発明の一実施形態による伝送線路一体型直角型多重ポートパッチアンテナを成す第１多重ポートアンテナ２７１０及び第２多重ポートアンテナ２７２０は、５Ｇ通信周波数である２８ＧＨｚでアンテナに入力された信号電力に対するインピーダンスと反射係数に優れていることを確認することができる。
【０１１７】
図３５は、本発明によるミリ波帯域用伝送線路一体型低損失柔軟直角型多重ポートアンテナに対する利得の特性を示したものである。図３５を参照すれば、第１多重ポートアンテナ２７１０及び第２多重ポートアンテナ２７２０に入力信号が印加された場合、垂直偏波の利得の特性は、０°（ラジアン）で約１１．０２ｄＢｉであって、高いアンテナの利得の特性を有することを確認することができる。
【０１１８】
一方、本発明の実施形態によるミリ波帯域用伝送線路一体型低損失柔軟直角型多重ポートアンテナは、５Ｇ携帯通信装置に装着されて使われる。
【０１１９】
図３６は、本発明の実施形態によるミリ波帯域用伝送線路一体型低損失柔軟直角型多重ポートアンテナが装着された携帯通信装置を示したものである。図３６を参照すれば、本発明の実施形態によるミリ波帯域用伝送線路一体型低損失柔軟直角型多重ポートアンテナは、８個の多重ポートアンテナ３６１０、３６２０が携帯通信装置３６３０の横及び縦のエッジにそれぞれ設けられて、１６個のポートを示しており、ポートの個数によって、本発明が限定されるものではない。
【０１２０】
本発明は、図面に示された実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決定されねばならない。
【符号の説明】
【０１２１】
１１０、２１０、３１０：パッチアンテナ
１２０、２２０、３２０：伝送線路（ｆｌａｔ  ｃａｂｌｅ）
１１２：パッチ導体
１２２：ビアホール
１２４：信号線
１２６：ナノシート誘電体
１２８：上部導体
１２９：下部導体
４１０、６１０：接地板
４２０、５２０、６２０：誘電体基板
４３０、５３０、６３０：信号変換部（パッチ）
４４０、５４０、６４０：給電部
４５０：伝送線路（ｆｌａｔ  ｃａｂｌｅ）
７１０、８１０：中心導体（信号線）
７２０、８２０：外部導体（Ｓｈｉｅｌｄｉｎｇ）
７３０、８３０：誘電体
９１０：注射器
９２０：ポリマー溶液
９３０：高電圧
９４０：細い糸
９５０：ナノ纎維
１３１０：伝送線路（ｆｌａｔ  ｃａｂｌｅ）
１３２０：ダイポールアンテナ
１４１０：信号変換部（ダイポール）
１４２０：誘電体基板
１４３０：外部導体
１４４０：中心導体（信号線）
１４５０：誘電体
１６０：多重ポートアンテナ部
１６５：伝送線路部
１６１０、１６２０、１６３０、１６４０：単一アンテナ
１６６０、１６７０、１６８０、１６９０：伝送線路
１６１２、１６２２、１６３２、１６４２：誘電体基板
１６１４、１６２４、１６３４、１６４４：信号変換部
１６１６、１６２６、１６３６、１６４６：給電部
１６６２、１７６２、１８６２、１９６２：中心導体
１６６４、１７６４、１８６４、１９６４：誘電体
１６６６、１７６６、１８６６、１９６６：外部導体
２１００：携帯通信装置
２１１０：伝送線路一体型低損失柔軟曲面型多重ポートアンテナ
２１１２：伝送線路の曲面状の下面
２１１４：伝送線路の曲面状の上面
２１２０：携帯通信装置ケース
２１３０：携帯通信装置のＰＣＢ基板
２５００：携帯通信装置
２５１０：４ポートアンテナ
２５２０：伝送線路
２５３０：携帯通信装置モジュール
２６ａ：第１多重ポートアンテナ
２６ｂ：第２多重ポートアンテナ
２６０ａ：第１多重ポートアンテナ部
２６０ｂ：第１多重ポート伝送線路部
２６５ａ：第２多重ポートアンテナ部
２６５ｂ：第２多重ポート伝送線路部
２６１０、２６２０、２６３０、２６４０：第１多重ポートアンテナの単一アンテナ
２６１２、２６２２、２６３２、２６４２：第１多重ポートアンテナの信号変換部
２６１４、２６２４、２６３４、２６４４：第１多重ポートアンテナの誘電体基板
２６１６、２６２６、２６３６、２６４６：第１多重ポートアンテナの給電部
２６５０、２６６０、２６７０、２６８０：第２多重ポートアンテナの単一アンテナ
２６５２、２６６２、２６７２、２６８２：第２多重ポートアンテナの信号変換部
２６５４、２６６４、２６７４、２６８４：第２多重ポートアンテナの誘電体基板
２６５６、２６６６、２６７６、２６８６：第２多重ポートアンテナの給電部
２７１０：第１多重ポートアンテナ
２７２０：第２多重ポートアンテナ
２７３０：第１多重ポートアンテナビームパターン
２７４０：携帯通信端末機
３０３０：第１多重ポートアンテナビームパターン
３３１０：第１多重ポートアンテナビームパターン
３３２０：第２多重ポートアンテナビームパターン
３６１０：第１多重ポートアンテナ
３６２０：第２多重ポートアンテナ
３６３０：携帯通信装置
【図１Ａ】
2020127196.tif 000003
【図１Ｂ】
2020127196.tif 000004
【図１Ｃ】
2020127196.tif 000005
【図２】
2020127196.tif 000006
【図３】
2020127196.tif 000007
【図４】
2020127196.tif 000008
【図５】
2020127196.tif 000009
【図６】
2020127196.tif 000010
【図７】
2020127196.tif 000011
【図８】
2020127196.tif 000012
【図９】
2020127196.tif 000013
【図１０】
2020127196.tif 000014
【図１１】
2020127196.tif 000015
【図１２】
2020127196.tif 000016
【図１３】
2020127196.tif 000017
【図１４】
2020127196.tif 000018
【図１５】
2020127196.tif 000019
【図１６】
2020127196.tif 000020
【図１７】
2020127196.tif 000021
【図１８】
2020127196.tif 000022
【図１９】
2020127196.tif 000023
【図２０】
2020127196.tif 000024
【図２１】
2020127196.tif 000025
【図２２】
2020127196.tif 000026
【図２３】
2020127196.tif 000027
【図２４】
2020127196.tif 000028
【図２５】
2020127196.tif 000029
【図２６】
2020127196.tif 000030
【図２７】
2020127196.tif 000031
【図２８】
2020127196.tif 000032
【図２９】
2020127196.tif 000033
【図３０】
2020127196.tif 000034
【図３１】
2020127196.tif 000035
【図３２】
2020127196.tif 000036
【図３３】
2020127196.tif 000037
【図３４】
2020127196.tif 000038
【図３５】
2020127196.tif 000039
【図３６】
2020127196.tif 000040